(57)【特許請求の範囲】
【請求項１】
プリアンブルおよびデータペイロードを生成することと、
前記プリアンブルおよび前記データペイロードを含むフレームを伝送することであって、前記プリアンブルは、第１のチップレートで、シングルキャリア（ＳＣ）伝送方式によって伝送され、前記データペイロードは、前記第１のチップレートとは異なる第２のチップレートで、直交周波数分割多重（ＯＦＤＭ）伝送方式によって伝送され、前記ＯＦＤＭ伝送方式は、複数のデータベアリングサブキャリアと複数のガードサブキャリアとを含み、前記データベアリングサブキャリアの第１の帯域幅は、前記ＳＣ伝送方式の第２の帯域幅と同一である、伝送することと
を含む、無線通信のための方法。
【請求項２】
前記第２のチップレートは、前記第１のチップレートよりも１．５倍高い、請求項１に記載の方法。
【請求項３】
前記プリアンブルまたは前記データペイロードは、１つ以上のゴレイ符号を使用することによって生成される、請求項１に記載の方法。
【請求項４】
前記プリアンブルは、同期（ＳＹＮＣ）シーケンス、開始フレームデリミタ（ＳＦＤ）、およびチャネル推定シーケンス（ＣＥＳ）を含み、前記ＳＹＮＣ、前記ＳＦＤ、および前記ＣＥＳは、ゴレイ符号を使用することによってすべて拡散される、請求項１に記載の方法。
【請求項５】
前記フレーム内のショートヘッダーを生成することと、
前記プリアンブルに続いて前記ショートヘッダーを伝送することであって、前記ショートヘッダーは、前記第１のチップレートで、前記ＳＣ伝送方式によって伝送される、伝送することと
をさらに含む、請求項１に記載の方法。
【請求項６】
前記ショートヘッダーは、前記フレームの持続時間を示す情報を含む、請求項５に記載の方法。
【請求項７】
前記ショートヘッダーは、低密度パリティ検査（ＬＤＰＣ）符号化を使用することによって生成される、請求項５に記載の方法。
【請求項８】
前記フレームを伝送することは、ピコネット制御装置によって定義されたスーパーフレームのコンテンションアクセス期間（ＣＡＰ）において伝送することを含む、請求項１に記載の方法。
【請求項９】
プリアンブルおよびデータペイロードを生成するように構成された生成器と、
前記プリアンブルおよび前記データペイロードを含むフレームを伝送するように構成された送信機であって、前記プリアンブルは、第１のチップレートで、シングルキャリア（ＳＣ）伝送方式によって伝送され、前記データペイロードは、前記第１のチップレートとは異なる第２のチップレートで、直交周波数分割多重（ＯＦＤＭ）伝送方式によって伝送され、前記ＯＦＤＭ伝送方式は、複数のデータベアリングサブキャリアと複数のガードサブキャリアとを含み、前記データベアリングサブキャリアの第１の帯域幅は、前記ＳＣ伝送方式の第２の帯域幅と同一である、送信機と
を含む、無線通信のための装置。
【請求項１０】
前記第２のチップレートは、前記第１のチップレートよりも１．５倍高い、請求項９に記載の装置。
【請求項１１】
前記プリアンブルまたは前記データペイロードは、１つ以上のゴレイ符号を使用することによって生成される、請求項９に記載の装置。
【請求項１２】
前記プリアンブルは、同期（ＳＹＮＣ）シーケンス、開始フレームデリミタ（ＳＦＤ）、およびチャネル推定シーケンス（ＣＥＳ）を含み、前記ＳＹＮＣ、前記ＳＦＤ、および前記ＣＥＳは、ゴレイ符号を使用することによってすべて拡散される、請求項９に記載の装置。
【請求項１３】
前記フレーム内のショートヘッダーを生成するように構成された生成回路と、
前記プリアンブルに続いて前記ショートヘッダーを伝送するように構成された回路であって、前記ショートヘッダーは、前記第１のチップレートで、前記ＳＣ伝送方式によって伝送される、回路と
をさらに含む、請求項９に記載の装置。
【請求項１４】
前記ショートヘッダーは、前記フレームの持続時間を示す情報を含む、請求項１３に記載の装置。
【請求項１５】
前記ショートヘッダーは、低密度パリティ検査（ＬＤＰＣ）符号化を使用することによって生成される、請求項１３に記載の装置。
【請求項１６】
前記データフレームを伝送するように構成された前記送信機は、ピコネット制御装置（ＰＮＣ）によって定義されたスーパーフレームのコンテンションアクセス期間（ＣＡＰ）において伝送するように構成された回路を含み、前記装置と前記ＰＮＣは、同一のピコネットにおけるものである、請求項９に記載の装置。
【請求項１７】
プリアンブルおよびデータペイロードを生成するための手段と、
前記プリアンブルおよび前記データペイロードを含むフレームを伝送するための手段であって、前記プリアンブルは、第１のチップレートで、シングルキャリア（ＳＣ）伝送方式によって伝送され、前記データペイロードは、前記第１のチップレートとは異なる第２のチップレートで、直交周波数分割多重（ＯＦＤＭ）伝送方式によって伝送され、前記ＯＦＤＭ伝送方式は、複数のデータベアリングサブキャリアと複数のガードサブキャリアとを含み、前記データベアリングサブキャリアの第１の帯域幅は、前記ＳＣ伝送方式の第２の帯域幅と同一である、伝送するための手段と
を含む、無線通信のための装置。
【請求項１８】
前記第２のチップレートは、前記第１のチップレートよりも１．５倍高い、請求項１７に記載の装置。
【請求項１９】
前記プリアンブルまたは前記データペイロードは、１つ以上のゴレイ符号を使用することによって生成される、請求項１７に記載の装置。
【請求項２０】
前記プリアンブルは、同期（ＳＹＮＣ）シーケンス、開始フレームデリミタ（ＳＦＤ）、およびチャネル推定シーケンス（ＣＥＳ）を含み、前記ＳＹＮＣ、前記ＳＦＤ、および前記ＣＥＳは、ゴレイ符号を使用することによってすべて拡散される、請求項１７に記載の装置。
【請求項２１】
前記フレーム内のショートヘッダーを生成するための手段と、
前記プリアンブルに続いて前記ショートヘッダーを伝送するための手段であって、前記ショートヘッダーは、前記第１のチップレートで、前記ＳＣ伝送方式によって伝送される、伝送するための手段と
をさらに含む、請求項１７に記載の装置。
【請求項２２】
前記ショートヘッダーは、前記フレームの持続時間を示す情報を含む、請求項２１に記載の装置。
【請求項２３】
前記ショートヘッダーは、低密度パリティ検査（ＬＤＰＣ）符号化を使用することによって生成される、請求項２１に記載の装置。
【請求項２４】
前記フレームを伝送するための手段は、ピコネット制御装置（ＰＮＣ）によって定義されたスーパーフレームのコンテンションアクセス期間（ＣＡＰ）において伝送するための手段を含み、前記装置および前記ＰＮＣは同一のピコネットにおけるものである、請求項１７に記載の装置。
【請求項２５】
プリアンブルおよびデータペイロードを生成し、
前記プリアンブルおよび前記データペイロードを含むフレームを伝送し、前記プリアンブルは、第１のチップレートで、シングルキャリア（ＳＣ）伝送方式によって伝送され、前記データペイロードは、前記第１のチップレートとは異なる第２のチップレートで、直交周波数分割多重（ＯＦＤＭ）伝送方式によって伝送され、前記ＯＦＤＭ伝送方式は、複数のデータベアリングサブキャリアと複数のガードサブキャリアとを含み、前記データベアリングサブキャリアの第１の帯域幅は、前記ＳＣ伝送方式の第２の帯域幅と同一である
ために実行可能な命令が記憶された、無線通信のためのコンピュータ可読記憶媒体。
【請求項２６】
少なくとも１つのアンテナと、
プリアンブルおよびデータペイロードを生成するように構成された生成器と、
前記プリアンブルおよび前記データペイロードを含むフレームを、前記少なくとも１つのアンテナを介して、伝送するように構成された送信機であって、前記プリアンブルは、第１のチップレートで、シングルキャリア（ＳＣ）伝送方式によって伝送され、前記データペイロードは、前記第１のチップレートとは異なる第２のチップレートで、直交周波数分割多重（ＯＦＤＭ）伝送方式によって伝送され、前記ＯＦＤＭ伝送方式は、複数のデータベアリングサブキャリアと複数のガードサブキャリアとを含み、前記データベアリングサブキャリアの第１の帯域幅は、前記ＳＣ伝送方式の第２の帯域幅と同一である、送信機と
を含む、無線ノード。
【請求項２７】
プリアンブルおよびデータペイロードを含むフレームを受信することであって、前記プリアンブルは、第１のチップレートで、シングルキャリア（ＳＣ）伝送方式によって、無線チャネルを介して伝送され、前記データペイロードは、前記第１のチップレートとは異なる第２のチップレートで、直交周波数分割多重（ＯＦＤＭ）伝送方式によって伝送され、前記ＯＦＤＭ伝送方式は、複数のデータベアリングサブキャリアと複数のガードサブキャリアとを含み、前記データベアリングサブキャリアの第１の帯域幅は、前記ＳＣ伝送方式の第２の帯域幅と同一である、受信することと、
前記プリアンブルおよび前記データペイロードを検出することと
を含む、無線通信のための方法。
【請求項２８】
前記プリアンブルおよび前記データペイロードを検出することは、共通する構成可能なパラレルマッチドフィルタを使用して前記フレームをフィルタリングすることを含む、請求項２７に記載の方法。
【請求項２９】
前記プリアンブルの、同期（ＳＹＮＣ）シーケンス、開始フレームデリミタ（ＳＦＤ）、およびチャネル推定シーケンス（ＣＥＳ）は、前記共通する構成可能なパラレルマッチドフィルタを使用してすべて検出される、請求項２８に記載の方法。
【請求項３０】
前記第２のチップレートは、前記第１のチップレートよりも１．５倍高い、請求項２７に記載の方法。
【請求項３１】
前記プリアンブルはゴレイ符号を含む、請求項２７に記載の方法。
【請求項３２】
プリアンブルおよびデータペイロードを含むフレームを受信するように構成された受信機であって、前記プリアンブルは、第１のチップレートで、シングルキャリア（ＳＣ）伝送方式によって、無線チャネルを介して伝送され、前記データペイロードは、前記第１のチップレートとは異なる第２のチップレートで、直交周波数分割多重（ＯＦＤＭ）伝送方式によって伝送され、前記ＯＦＤＭ伝送方式は、複数のデータベアリングサブキャリアと複数のガードサブキャリアとを含み、前記データベアリングサブキャリアの第１の帯域幅は、前記ＳＣ伝送方式の第２の帯域幅と同一である、受信機と、
前記プリアンブルおよび前記データペイロードを検出するように構成された検出器と
を含む、無線通信のための装置。
【請求項３３】
前記第２のチップレートは、前記第１のチップレートよりも１．５倍高い、請求項３２に記載の装置。
【請求項３４】
前記プリアンブルはゴレイ符号を含む、請求項３２に記載の装置。
【請求項３５】
前記プリアンブルおよび前記データペイロードを検出するように構成された検出器は、共通する構成可能なパラレルマッチドフィルタを使用して、前記フレームをフィルタリングするように構成された回路を含む、請求項３２に記載の装置。
【請求項３６】
前記プリアンブルの、同期（ＳＹＮＣ）シーケンス、開始フレームデリミタ（ＳＦＤ）、およびチャネル推定シーケンス（ＣＥＳ）は、前記共通する構成可能なパラレルマッチドフィルタを使用してすべて検出される、請求項３５に記載の装置。
【請求項３７】
プリアンブルおよびデータペイロードを含むフレームを受信するための手段であって、前記プリアンブルは、第１のチップレートで、シングルキャリア（ＳＣ）伝送方式によって、無線チャネルを介して伝送され、前記データペイロードは、前記第１のチップレートとは異なる第２のチップレートで、直交周波数分割多重（ＯＦＤＭ）伝送方式によって伝送され、前記ＯＦＤＭ伝送方式は、複数のデータベアリングサブキャリアと複数のガードサブキャリアとを含み、前記データベアリングサブキャリアの第１の帯域幅は、前記ＳＣ伝送方式の第２の帯域幅と同一である、受信するための手段と、
前記プリアンブルおよび前記データペイロードを検出するための手段と
を含む、無線通信のための装置。
【請求項３８】
前記第２のチップレートは、前記第１のチップレートよりも１．５倍高い、請求項３７に記載の装置。
【請求項３９】
前記プリアンブルはゴレイ符号を含む、請求項３７に記載の装置。
【請求項４０】
前記プリアンブルおよび前記データペイロードを検出するための手段は、共通する構成可能なパラレルマッチドフィルタを使用して、前記フレームをフィルタリングするための手段を含む、請求項３７に記載の装置。
【請求項４１】
前記プリアンブルの、同期（ＳＹＮＣ）シーケンス、開始フレームデリミタ（ＳＦＤ）、およびチャネル推定シーケンス（ＣＥＳ）は、前記共通する構成可能なパラレルマッチドフィルタを使用してすべて検出される、請求項４０に記載の装置。
【請求項４２】
プリアンブルおよびデータペイロードを含むフレームを受信し、前記プリアンブルは、第１のチップレートで、シングルキャリア（ＳＣ）伝送方式によって、無線チャネルを介して伝送され、前記データペイロードは、前記第１のチップレートとは異なる第２のチップレートで、直交周波数分割多重（ＯＦＤＭ）伝送方式によって伝送され、前記ＯＦＤＭ伝送方式は、複数のデータベアリングサブキャリアと複数のガードサブキャリアとを含み、前記データベアリングサブキャリアの第１の帯域幅は、前記ＳＣ伝送方式の第２の帯域幅と同一であり、
前記プリアンブルおよび前記データペイロードを検出する
ために実行可能な命令が記憶された、無線通信のためのコンピュータ可読記憶媒体。
【請求項４３】
少なくとも１つのアンテナと、
プリアンブルおよびデータペイロードを含むフレームを、前記少なくとも１つのアンテナを介して、受信するように構成された受信機であって、前記プリアンブルは、第１のチップレートで、シングルキャリア（ＳＣ）伝送方式によって、無線チャネルを介して伝送され、前記データペイロードは、前記第１のチップレートとは異なる第２のチップレートで、直交周波数分割多重（ＯＦＤＭ）伝送方式によって伝送され、前記ＯＦＤＭ伝送方式は、複数のデータベアリングサブキャリアと複数のガードサブキャリアとを含み、前記データベアリングサブキャリアの第１の帯域幅は、前記ＳＣ伝送方式の第２の帯域幅と同一である、受信機と、
前記プリアンブルおよび前記データペイロードを検出するように構成された検出器と
を含む、無線ノード。
【発明の詳細な説明】
【技術分野】
【０００１】
３５Ｕ．Ｓ．Ｃ．§１１９下の優先権主張
本特許出願は、２００８年９月９日に出願され、この譲受人に譲渡され、ここでの引用により、ここに明確に組み込まれた、米国仮出願番号第６１／０９５，５０９号の優先権を主張する。
【０００２】
本開示の特定の態様は、概して無線通信に関し、より具体的には、異なる伝送方式に共通するフレーム構造を生成するための方法に関する。
【背景技術】
【０００３】
ミリ波通信は、約６０ＧＨｚのキャリア周波数を使用する通信を表す。デュアルモードのミリ波物理層（ＰＨＹ）は、コモンモード（ＣＭ）伝送を用いることにより、シングルキャリア（ＳＣ）変調および直交周波数分割多重（ＯＦＤＭ）変調をサポートすることができる。
【０００４】
ＣＭは、ビーコニング、ネットワーク制御シグナリング、およびベースレートデータ通信のための、ＳＣおよびＯＦＤＭベースのデバイスの両方によって使用される、シングルキャリアモードである。ＣＭは、異なるデバイスおよび異なるネットワーク間の相互動作性のために、一般的に用いられることができる。しかしながら、ＳＣ伝送モードのフレーム構造は、ＯＦＤＭ伝送モードのフレーム構造とは実質的に異なり、それは、ＳＣおよびＯＦＤＭデバイスおよびネットワーク間の相互動作性のレベルを制限する。
【０００５】
したがって、ＳＣ変調およびＯＦＤＭ変調された伝送信号の両方による使用に好適なフレーム構造を生成するための方法が、当該技術において要求されている。
【発明の概要】
【０００６】
ある特定の態様は、無線通信のための方法を提供する。方法は、概して、プリアンブルおよびデータペイロードを生成することと、プリアンブルおよびデータペイロードを含むフレームを伝送することとを含み、プリアンブルは、第１のチップレートで、シングルキャリア（ＳＣ）伝送方式によって伝送され、データペイロードは、第１のチップレートとは異なる第２のチップレートで、ＯＦＤＭ伝送方式によって伝送される。
【０００７】
ある特定の態様は、無線通信のための装置を提供する。装置は、概して、プリアンブルおよびデータペイロードを生成するように構成された生成器と、プリアンブルおよびデータペイロードを含むフレームを伝送するように構成された送信機とを含み、プリアンブルは、第１のチップレートで、シングルキャリア（ＳＣ）伝送方式によって伝送され、データペイロードは、第１のチップレートとは異なる第２のチップレートで、直交周波数分割多重（ＯＦＤＭ）伝送方式によって伝送される。
【０００８】
ある特定の態様は、無線通信のための装置を提供する。装置は、概して、プリアンブルおよびデータペイロードを生成するための手段と、プリアンブルおよびデータペイロードを含むフレームを伝送するための手段とを含み、プリアンブルは、第１のチップレートで、シングルキャリア（ＳＣ）伝送方式によって伝送され、データペイロードは、第１のチップレートとは異なる第２のチップレートで、直交周波数分割多重（ＯＦＤＭ）伝送方式によって伝送される。
【０００９】
ある特定の態様は、無線通信のためのコンピュータプログラム製品を提供する。コンピュータプログラム製品は、プリアンブルおよびデータペイロードを生成し、プリアンブルおよびデータペイロードを含むフレームを伝送するために実行可能な命令を含むコンピュータ可読媒体を含み、プリアンブルは、第１のチップレートで、シングルキャリア（ＳＣ）伝送方式によって伝送され、データペイロードは、第１のチップレートとは異なる第２のチップレートで、直交周波数分割多重（ＯＦＤＭ）伝送方式によって伝送される。
【００１０】
ある特定の態様は無線ノードを提供する。無線ノードは、概して、少なくとも１つのアンテナと、プリアンブルおよびデータペイロードを生成するように構成された生成器と、プリアンブルおよびデータペイロードを含むフレームを、少なくとも１つのアンテナを介して、伝送するように構成された送信機とを含み、プリアンブルは、第１のチップレートで、シングルキャリア（ＳＣ）伝送方式によって伝送され、データペイロードは、第１のチップレートとは異なる第２のチップレートで、直交周波数分割多重（ＯＦＤＭ）伝送方式によって伝送される。
【００１１】
ある特定の態様は、無線通信のための方法を提供する。方法は、概して、プリアンブルおよびデータペイロードを含むフレームを受信することであって、プリアンブルは、第１のチップレートで、シングルキャリア（ＳＣ）伝送方式によって、無線チャネルを介して伝送され、データペイロードは、第１のチップレートとは異なる第２のチップレートで、直交周波数分割多重（ＯＦＤＭ）伝送方式によって伝送された、ことと、プリアンブルおよびデータペイロードを検出することとを含む。
【００１２】
ある特定の態様は、無線通信のための装置を提供する。装置は、概して、プリアンブルおよびデータペイロードを含むフレームを受信するように構成された受信機であって、プリアンブルは、第１のチップレートで、シングルキャリア（ＳＣ）伝送方式によって、無線チャネルを介して伝送され、データペイロードは、第１のチップレートとは異なる第２のチップレートで、直交周波数分割多重（ＯＦＤＭ）伝送方式によって伝送された、受信機と、プリアンブルおよびデータペイロードを検出するように構成された検出器とを含む。
【００１３】
ある特定の態様は、無線通信のための装置を提供する。装置は、概して、プリアンブルおよびデータペイロードを含むフレームを受信するための手段であって、プリアンブルは、第１のチップレートで、シングルキャリア（ＳＣ）伝送方式によって、無線チャネルを介して伝送され、データペイロードは、第１のチップレートとは異なる第２のチップレートで、直交周波数分割多重（ＯＦＤＭ）伝送方式によって伝送された、手段と、プリアンブルおよびデータペイロードを検出するための手段とを含む。
【００１４】
ある特定の態様は、無線通信のためのコンピュータプログラム製品を提供する。コンピュータプログラム製品は、プリアンブルおよびデータペイロードを含むフレームを受信し、プリアンブルは、第１のチップレートで、シングルキャリア（ＳＣ）伝送方式によって、無線チャネルを介して伝送され、データペイロードは、第１のチップレートとは異なる第２のチップレートで、直交周波数分割多重（ＯＦＤＭ）伝送方式によって伝送され、プリアンブルおよびデータペイロードを検出する、ために実行可能な命令を含むコンピュータ可読媒体を含む。
【００１５】
ある特定の態様は、無線ノードを提供する。無線ノードは、概して、少なくとも１つのアンテナと、プリアンブルおよびデータペイロードを含むフレームを、少なくとも１つのアンテナを介して、受信するように構成された受信機であって、プリアンブルは、第１のチップレートで、シングルキャリア（ＳＣ）伝送方式によって、無線チャネルを介して伝送され、データペイロードは、第１のチップレートとは異なる第２のチップレートで、直交周波数分割多重（ＯＦＤＭ）伝送方式によって伝送された、受信機と、プリアンブルおよびデータペイロードを検出するように構成された検出器とを含む。
【００１６】
上記した本開示の特徴を詳細に理解できるように、先に簡潔に要約されたものの、さらに具体的な説明が、種々の態様を参照することによりなされ、そのいくつかが付属の図面で示される。しかしながら、付属の図面は、この開示の特定の典型的な態様のみを示すものであり、したがって、その範囲の限定と考えられるべきでないということに注意されたい。というのも、説明は、他の同様に効果的な態様にも認められうるからである。
【図面の簡単な説明】
【００１７】
【図１】本開示の特定の態様に係る、例示的な無線通信システムを示す図である。
【図２】本開示の特定の態様に係る、無線デバイスにおいて利用され得る、さまざまなコンポーネントを示す図である。
【図３】本開示の特定の態様に係る、無線通信システム内で使用され得る例示的な送信機を示す図である。
【図４】本開示の特定の態様に係る、無線通信システム内で使用され得る例示的な受信機を示す図である。
【図５】本開示の特定の態様に係る、多重伝送方式に共通するフレーム構造を生成および処理するための動作を示す図である。
【図５Ａ】図５に示された動作を行うことのできる、例示的なコンポーネントを示す図である。
【図６】本開示の特定の態様に係る、コモンモード（ＣＭ）伝送のためのミリ波フレーム構造を示す図である。
【図７】本開示の特定の態様に係る、ＣＭ伝送のためのミリ波フレームのプリアンブル構造を示す図である。
【図８】本開示の特定の態様に係る、ＣＭプリアンブルのための拡散シーケンスを生成するための、線形フィードバックシフトレジスタ（ＬＦＳＲ）の論理ブロック図である。
【図９】本開示の特定の態様に係る、コヒーレントに検出された、および、差動的に検出された開始フレームデリミタ（ＳＦＤ）シーケンスのための受信機マッチドフィルタの出力信号を示す図である。
【図１０】本開示の特定の態様に係る、シングルキャリア（ＳＣ）フレーム構造の一例を示す図である。
【図１１】本開示の特定の態様に係る、ＳＣ伝送方式のためのフレーム構造の別の例を示す図である。
【図１２】本開示の特定の態様に係る、ＳＣおよび直交周波数分割多重（ＯＦＤＭ）伝送方式の両方をサポートする統一されたフレーム構造を示す図である。
【図１３】本開示の特定の態様に係る、統一されたフレーム内の共通ショートヘッダーの構造を示す図である。
【詳細な説明】
【００１８】
さまざまな開示の態様が、付属の図面を参照して、以下により詳しく説明される。しかしながら、この開示は、多くの異なる形態で具現化されることができ、この開示を通して提示される、任意の特定の構造または機能に限定されるものとして解釈されるべきではない。あるいは、これらの態様は、この開示が徹底的かつ完全であるように、また、当業者に開示の範囲を十分に示唆するように、提供される。ここでの教示に基づいて、当業者は、開示の範囲が、開示の任意の他の態様と、無関係に実現されようと、組み合わせられて実現されようと、ここに開示された任意の開示の態様をカバーすることを意図しているということを理解すべきである。たとえば、ここに説明される任意の数の態様を使用して、装置が実現されても、方法が実践されてもよい。さらに、開示の範囲は、他の構造や機能性、または、ここに説明されるさまざまな開示の態様に追加された、または、それ以外の構造および機能性を使用して実践される、そのような装置または方法をカバーすることを意図している。ここに開示される任意の開示の態様は、請求項の１つ以上の要素によって具現化されうるということが理解されるべきである。
【００１９】
「例示的な（exemplary）」という語は、「例、事例、または実例としての役割を果たすこと」を意味するために、ここでは使用される。「例示的な」ものとして、ここに説明される任意の態様は、他の態様よりも好ましい、または利点があるものとして必ずしも解釈されない。
【００２０】
ここでの教示は、さまざまな有線または無線の装置（たとえば、ノード）に組み込まれてもよい（たとえば、それらの中で実現されても、それらによって実行されてもよい）。いくつかの態様において、ここでの教示によって実現される無線ノードは、アクセスポイント、またはアクセス端末、またはピコネット制御装置、または他のタイプの無線デバイスを含むこともできる。
【００２１】
アクセスポイント（「ＡＰ：access point」）は、ノードＢ、無線ネットワーク制御装置（「ＲＮＣ：Radio Network Controller」）、ｅノードＢ、基地局制御装置（「ＢＳＣ：Base Station Controller」）、基地トランシーバ局（「ＢＴＳ：Base Transceiver Station」）、基地局（「ＢＳ：Base Station」）、トランシーバ機能（「ＴＦ：Transceiver Function」）、無線ルータ、無線トランシーバ、ベーシックサービスセット（「ＢＳＳ：Basic Service Set」）、拡張サービスセット（「ＥＳＳ：Extended Service Set」）、無線基地局（「ＲＢＳ：Radio Base Station」）、または、ある他の学術用語を、含むことも、それらとして実現されることも、またはそれらとして認められることもできる。
【００２２】
アクセス端末（「ＡＴ：access terminal」）は、アクセス端末、加入者局、加入者ニット、移動局、リモート局、リモート端末、ユーザー端末、ユーザーエージェント、ユーザーデバイス、ユーザー機器、または、ある他の学術用語を、含むことも、それらとして実現されることも、またはそれらとして認められることもできる。いくつかの実現において、アクセス端末は、セル式電話、コードレス電話、セッション開始プロトコル（「ＳＩＰ」）電話、無線ローカルループ（「ＷＬＬ」）局、携帯情報端末（「ＰＤＡ」）、無線接続能力を有するハンドヘルドデバイス、または、無線モデムに接続された、ある他の好適な処理デバイスを含むこともできる。このように、ここで教示される１つ以上の態様は、電話（たとえば、セル式電話またはスマートフォン）、コンピュータ（たとえば、ラップトップ）、携帯通信デバイス、携帯コンピュータデバイス（たとえば、携帯情報端末）、娯楽デバイス（たとえば、音楽または映像デバイス、または衛星ラジオ）、全地球測位システムデバイス、または、無線または有線媒体を介して通信するように構成された、任意の他の好適なデバイスに、組み込まれることもできる。
【００２３】
特定の態様がここに説明されるが、これら態様の多くのバリエーションおよび入れ替えは、開示の範囲内に含まれる。好ましい態様のいくつかの利益および利点が説明されるが、開示の範囲は、特定の利益、使用、または目的に限定されることを意図しない。あるいは、開示の態様は、異なる無線技術、システム構成、ネットワーク、および伝送プロトコルに、広く適用可能であるものと意図され、それらのうちのいくつかは、図面および以下の好ましい態様の説明において、例として説明される。詳細な説明および図面は、限定ではなく、単に開示を示すものであり、開示の範囲は、付属の請求項およびその等価物によって定義される。
【００２４】
例示的な無線通信システム
ここに説明される手法は、シングルキャリア伝送に基づいた通信システムを含む、さまざまな広帯域無線通信システムのために使用されることができる。ここに開示される態様は、ミリ波信号を含む超広帯域（ＵＷＢ：Ultra Wide Band）信号を用いるシステムに対し、利点を有する。しかしながら、本開示は、そのようなシステムに限定されることを意図しない。というのも、他の符号化された信号も、同様の利点から利益を得ることができるからである。
【００２５】
図１は、本開示の態様が用いられることのできる無線通信システム１００の一例を示している。無線通信システム１００は、広帯域無線通信システムであることもできる。無線通信システム１００は、多数のセル１０２に、通信を提供することができ、その各々は、基地局１０４によってサービスされている。基地局１０４は、ユーザー端末１０６と通信する固定局であることもできる。基地局１０４は、代替として、アクセスポイント、ノードＢ、または、ある他の学術用語で呼ばれることもできる。無線通信システム１００内のセル１０２は、たとえば、ピコネット制御装置といった、共通コーディネーターと、単一の識別子を共有する、１つ以上の論理的に関連づけられたデバイス群を含むピコネットであることもできる。
【００２６】
図１は、システム１００中に散らばった、さまざまなユーザー端末１０６を示している。ユーザー端末１０６は、固定（すなわち、静的）であっても、可動であってもよい。ユーザー端末１０６は、あるいは、リモート局、アクセス端末、端末、加入者ユニット、移動局、局、ユーザー機器、等とも呼ばれ得る。ユーザー端末１０６は、セル式電話、携帯情報端末（ＰＤＡｓ）、ハンドヘルドデバイス、無線モデム、ラップトップコンピュータ、パーソナルコンピュータ等といった無線デバイスであることもできる。
【００２７】
さまざまなアルゴリズムおよび方法が、基地局１０４およびユーザー端末１０６間の無線通信システム１００における伝送のために、使用されることができる。たとえば、信号は、ＵＷＢ技術により、基地局１０４およびユーザー端末１０６間で送受信されることができる。このような場合、無線通信システム１００は、ＵＷＢシステムと呼ばれることができる。
【００２８】
基地局１０４からユーザー端末１０６への送信を促進する通信リンクは、ダウンリンク（ＤＬ）１０８と呼ばれることができ、ユーザー端末１０６から基地局１０４への送信を促進する通信リンクは、アップリンク（ＵＬ）１１０と呼ばれることができる。あるいは、ダウンリンク１０８は、フォワードリンクまたはフォワードチャネルと呼ばれることもでき、アップリンク１１０は、リバースリンクまたはリバースチャネルと呼ばれることもできる。
【００２９】
セル１０２は、複数のセクタ１１２に分割されることができる。セクタ１１２は、セル１０２内の物理的なカバレッジエリアである。無線通信システム１００内の基地局１０４は、セル１０２の特定のセクタ１１２内に、パワーの流れ（flow of power）を集中させるアンテナを利用することもできる。そのようなアンテナは、指向性アンテナと呼ばれることができる。
【００３０】
図２は、無線通信システム１００内で用いられ得る無線デバイス２０２において利用されることができる、さまざまなコンポーネントを示している。無線デバイス２０２は、ここに説明される、さまざまな方法を実現するように構成され得るデバイスの一例である。無線デバイス２０２は、基地局１０４、またはユーザー端末１０６であることもできる。
【００３１】
無線デバイス２０２は、無線デバイス２０２の動作を制御するプロセッサ２０４を含むことができる。プロセッサ２０４は、また、中央処理ユニット（ＣＰＵ）と呼ばれることもできる。メモリ２０６は、読み出し専用メモリ（ＲＯＭ）およびランダムアクセスメモリ（ＲＡＭ）の両方を含むことができ、プロセッサ２０４に命令およびデータを提供する。メモリ２０６の一部は、また、不揮発性ランダムアクセスメモリ（ＮＶＲＡＭ）を含むこともできる。プロセッサ２０４は、概して、メモリ２０６内に記憶されたプログラムの命令に基づいて、論理および演算動作を行う。メモリ２０６における命令は、ここに説明される方法を実現するために実行可能であることができる。
【００３２】
無線デバイス２０２は、また、無線デバイス２０２およびリモート位置間のデータの送受信を可能にするための送信機２１０および受信機２１２を含み得る、ハウジング２０８を含むこともできる。送信機２１０および受信機２１２は、トランシーバ２１４に組み入れられることもできる。アンテナ２１６は、ハウジング２０８に固着され、トランシーバ２１４に電気的に結合されることができる。無線デバイス２０２は、また、（図示しない）複数の送信機、複数の受信機、複数のトランシーバ、および／または、複数のアンテナを含むこともできる。
【００３３】
無線デバイス２０２は、さらに、トランシーバ２１４によって受信された信号のレベルを検出および量化する取り組みにおいて使用されうる信号検出器２１８を含むこともできる。信号検出器２１８は、総エネルギー、シンボルあたりサブキャリアあたりのエネルギー、電力スペクトル密度といった信号、および他の信号を検出することもできる。無線デバイス２０２は、さらに、信号処理に使用するための、デジタル信号プロセッサ（ＤＳＰ）２２０を含むこともできる。
【００３４】
無線デバイス２０２のさまざまなコンポーネントは、データバスに加えて、電力バス、制御信号バス、およびステータス信号バスを含むこともできる、バスシステム２２２によって、共に結合されることができる。
【００３５】
図３は、シングルキャリア（ＳＣ）、直交周波数分割多重（ＯＦＤＭ）、または、ある他の伝送技術を利用する無線通信システム１００内で使用され得る送信機３０２の一例を示す。送信機３０２の一部は、無線デバイス２０２の送信機２１０において実現されることもできる。送信機３０２は、ユーザー端末１０６にデータ３０４を送信する基地局１０４において実現されることができる。送信機３０２は、さらに、アップリンク１１０で基地局１０４にデータ３０４を送信するユーザー端末１０６において実現されることもできる。
【００３６】
送信されるデータ３０４は、マッパー３０６への入力として供給されているところが示されている。マッパー３０６は、コンスタレーションポイントに、データストリーム３０４をマッピングすることができる。マッピングは、２相位相変調（ＢＰＳＫ）、４相位相変調（ＱＰＳＫ）、８相位相変調（８ＰＳＫ）、直交振幅変調（ＱＡＭ）、等といった、ある変調コンスタレーションを使用して行われることができる。このように、マッパー３０６は、シンボルストリーム３０８を出力することができ、それは、プリアンブル挿入ユニット３１０への入力を表すことができる。
【００３７】
プリアンブル挿入ユニット３１０は、入力シンボルストリーム３０８の冒頭に、プリアンブルシーケンスを挿入するために構成されることができ、対応するデータストリーム３１２を生成することができる。プリアンブルは、受信機側に知られていることができ、時間および周波数の同期、チャネル推定、等化、およびチャネル復号化のために利用されることができる。そして、プリアンブル挿入ユニット３１０の出力３１２は、無線周波数（ＲＦ）フロントエンド３１４によって、所望の送信周波数帯域にアップコンバートされることができる。そして、アンテナ３１６は、無線チャネルを介して、結果として生じた信号３１８を送信することができる。
【００３８】
図４は、シングルキャリア、または、ある他の伝送技術を利用する無線デバイス２０２内で使用されることのできる受信機４０２の一例を示す。受信機４０２の一部は、無線デバイス２０２の受信機２１２において実現されることもできる。受信機４０２は、ダウンリンク１０８で基地局１０４からデータ４０４を受信するユーザー端末１０６において実現されることができる。受信機４０２は、さらに、アップリンク１１０でユーザー端末１０６からデータ４０４を受信する基地局１０４において実現されることができる。
【００３９】
信号４０４がアンテナ４０６によって受信された場合、それは、ＲＦフロントエンド４０８によってベースバンド信号４１０にダウンコンバートされることができる。シングルキャリアデータ通信のための、受信された信号のフレームフォーマットは、一般的に、データ部分が後続するプリアンブルを含む。プリアンブル部分４１２は、ユニット４１６によってチャネル推定のために利用されることができる。受信されたデータ４１４は、以前に計算されたチャネル推定４１８を用いて、等化ユニット４２０によって処理されることができる。
【００４０】
デマッパー４２４は、等化されたデータストリーム４２２を入力することができ、図３によるマッパー３０６によって行われたシンボルマッピング動作の逆を行うことができ、それによって、データストリーム４２６を出力する。理想的には、このデータストリーム４２６は、図３に示した、送信機３０２への入力として提供されたデータ３０４に対応する。
【００４１】
コモンモードフレーム構造
図１に示した無線システム１００は、ミリ波通信（たとえば、約６０ＧＨｚのキャリア周波数による通信）のために使用されることができる超広帯域（ＵＷＢ）システムを表すことができる。デュアルモードのＵＷＢ物理層（ＰＨＹ）は、コモンモード（ＣＭ）伝送方式を用いることにより、シングルキャリア（ＳＣ）変調および直交周波数分割多重（ＯＦＤＭ）変調をサポートすることができる。ＣＭとは、ビーコニング、ネットワーク制御シグナリング、およびベースレートのデータ通信のためにＳＣおよびＯＦＤＭデバイスの両方によって使用されるシングルキャリアモードである。
【００４２】
ＣＭは、一般的に、異なる無線デバイスおよび異なる無線ネットワーク間の相互動作性のために必要とされ得る。さらに、ＣＭ方式が、一定の包絡線（constant envelope）を有する伝送信号を供給する連続位相変調（ＣＰＭ：continuous phase modulation）を用いることは、特に低電力無線デバイスにとって有利であり得る。この伝送方法は、送信機の電力増幅器が、ＣＰＭベースの伝送信号のスペクトルに影響を与えずに、最大レベルの出力電力で動作することを確実にすることができる。
【００４３】
本開示の特定の態様は、ＳＣ変調およびＯＦＤＭ変調された信号の伝送のために使用され得るフレーム構造を生成するための方法をサポートする。１つの態様において、ＯＦＤＭトランシーバのチップレートは、シングルキャリア（ＳＣ）チップレートの１．５倍に設定されうる。さらに、このチップレートは、ＯＦＤＭ伝送方式の場合に、サンプリングレートとして知られる。たとえば、ＳＣチップレートが１７２８ＭＨｚに設定され、それが２１６０ＭＨｚのチャネル分離の３ｄＢの帯域幅に対応する場合、ＯＦＤＭサンプリングレート（すなわち、ＯＦＤＭチップレート）は、２５９２ＭＨｚであることができる。ＯＦＤＭモードが、総計５１２のサブキャリアを用いた場合、１５４のサブキャリアが、（占有帯域幅の各サイドに７７の）ガードサブキャリアとして割り当てられることができ、ＳＣ伝送モードの帯域幅に対応し得る、約１７２８ＭＨｚを占有する３５４のデータベアリングサブキャリアが存在しうる。
【００４４】
ＳＣ信号は、π／２−ＢＰＳＫ変調を用いることができ、送信の前に、ゴレイ（Golay）符号によって拡散されることができる。これは、準一定の包絡線の送信ＳＣ信号を供給することができる。長さ１２８のゴレイ符号が、プリアンブル内で使用されることができ、長さ６４のゴレイ符号が、データの拡散に使用されることができる。
【００４５】
図５は、ＳＣおよびＯＦＤＭ伝送方式の両方に共通するフレーム構造を生成および処理するための動作を要約している。動作５１０−５２０は、ＵＷＢシステムの送信機側で行われることができ、動作５３０−５４０は、ＵＷＢシステムの受信機側で行われることができる。
【００４６】
５１０において、まず、プリアンブルおよびデータペイロードが、送信機で生成されることができる。それに続き、５２０では、プリアンブルおよびデータペイロードを含むフレームが無線チャネルによって送信されることができる。プリアンブルは、第１のチップレートで、ＳＣ伝送方式により無線チャネルを介して送信されることができ、データペイロードは、第１のチップレートとは異なる第２のチップレートで、ＯＦＤＭ伝送方式により送信されることができる。５３０では、プリアンブルおよびデータペイロードを含むフレームが、受信機で受信されることができ、受信されたフレームは、無線チャネルのさまざまな影響により破損している場合がある。５４０では、プリアンブルおよびデータペイロードが、受信されたフレーム内で検出されることができる。
【００４７】
図６は、少なくとも１つの長さ１２８のゴレイ符号ａ１２８の反復からなるプリアンブル６１０、ヘッダー６２０、およびデータペイロード６３０を含むミリ波フレーム構造６０２を示す。データペイロード６３０は、長さ６４のゴレイ符号の対（すなわち、ａ６４および／またはｂ６４の符号）を使用して拡散されることもできる。
【００４８】
プリアンブル６１０は、同期（ＳＹＮＣ）シーケンスフィールド６１２、開始フレームデリミタ（ＳＦＤ）フィールド６１４、およびチャネル推定シーケンス（ＣＥＳ）フィールド６１６を、さらに含むことができる。ＳＹＮＣフィールド６１２は、自動利得制御（ＡＧＣ）、ＤＣオフセット除去、フレーム検出、周波数の粗推定、アンテナのスイッチング、信号方向発見、周波数の微推定およびチャネルの推定のために、受信機で使用されることができる。ＳＦＤフィールド６１４は、ＳＹＮＣフィールド６１２の終わり、およびＣＥＳフィールド６１６の始まりを示すために使用されることができる。ＣＥＳフィールド６１６は、チャネル推定および周波数の微推定のために使用されることができる。
【００４９】
ＳＹＮＣシーケンス６１２は、ゴレイ符号ａｉ６４および／またはｂｉ６４（すなわち、ｉ個のサンプルの右へのサイクリックシフトを使用して、ゴレイ符号ａ６４およびｂ６４から生成された符号）によって拡散されたものの反復を含むことができる。ＳＦＤフィールド６１４は、ゴレイ符号ａｉ６４および／またはｂｉ６４によって拡散されたシーケンス｛１ −１ １ −１・・・｝を含むことができる。ＣＥＳフィールド６１６も、ゴレイ符号ａｉ６４および／またはｂｉ６４を使用して拡散されることができる。ＣＥＳは、符号ｂｉ６４の反復によって後続される符号ａｉ６４の反復から形成されることができる。ヘッダーフィールド６２０およびデータフィールド６３０は、二値または複素数値にすることができ、また、ゴレイ符号ａｉ６４および／またはｂｉ６４を使用して拡散されることができる。
【００５０】
図７は、図６のフレーム６０２の詳細な構造を示し、それは、フレーム７０２として示されている。長さ１２８のゴレイシーケンスａ１２８のサンプルが、プリアンブル６１０を得るために拡散されるのに使用されることができる。たとえば、相補関係にあるゴレイ符号のペアは、遅延ベクトルD = [64 32 16 1 8 2 4]、およびシードベクトルW = [l 1 1 1 −1 −1 l]を使用して、生成されることができる。生成された相補関係にある（complementary）ゴレイ符号のペアは、１６進法の表記で、以下のように表されることができる：
【数１】
0005543466.tif 000002
【数２】
0005543466.tif 000003
【００５１】
ここで、最下位の（the least significant）バイトは左側にあり、最上位の（the most significant）バイトは右側にある。
【００５２】
シーケンスａ１２８は、以下のプロパティ、すなわち、容易なＤＣ−オフセット推定を可能にするπ／２によって回転された後のゼロ平均値（zero mean）と、メインピークの各サイドのゼロ相関ゾーン（ＺＣＺ：zero correlation zone）の３２のサンプルと、ＺＣＺの外側の低サイドローブレベルの１６のサンプル、とを保証するように選択され得る。さらに、ゴレイシーケンスａ１２８は、パラレルなゴレイマッチドフィルダが、プリアンブルを検出する受信機で、確実に用いられることが可能なようにすることができる。
【００５３】
長さ６４の相補関係にあるゴレイ符号が、ヘッダー６２０およびデータペイロード６３０を生成するために拡散するのに使用されることができる。ゴレイ符号ａ６４は、単独で、またはゴレイ符号ｂ６４とペアで、使用されることができる。以下の相補関係にあるゴレイ符号のペアは、遅延ベクトルD = [4 32 8 1 2 16]、およびシードベクトルW = [−l −1 1 1 1 l]を使用して生成されることができる：
【数３】
0005543466.tif 000004
【数４】
0005543466.tif 000005
【００５４】
式（３）−（４）によって与えられる、相補関係にあるゴレイシーケンスのペアは、プリアンブルとの低レベルの相互相関（cross−correlation）と、任意のデータシーケンスに対して低サイドローブレベルの８のサンプル（たとえば、ａ６４符号が、ａ６４または−ａ６４、またはｂ６４または−ｂ６４によって後続される場合、および、ｂ６４符号が、ａ６４または−ａ６４、またはｂ６４または−ｂ６４によって後続される場合）と、を供給することができ、パラレルなゴレイマッチドフィルタが、プリアンブルおよびデータペイロードを検出する受信機で、効率的に用いられることができる。
【００５５】
本開示の一態様において、拡散シーケンスは、ａ６４符号乃至ｂ６４符号で、ランダムに（または、より正確には、擬似ランダムに）変化することができる。たとえば、図８に示したもののような、線形フィードバックシフトレジスタ（ＬＦＳＲ：linear feedback shift register）が、用いられることができる。マルチプレクサ８１０の選択入力８２０の値がゼロと等しい場合、シーケンスａ６４が、シードベクトルの現行ビットの拡散のために選択されることができる。あるいは、シーケンスｂ６４が、シードベクトルの現行ビットの拡散のために選択されてもよい。このランダム化の手法は、伝送信号のスペクトルを白色化（whiten）し、かつ、すべてのスペクトル線を除去することができる。ランダム化は、さらに、ａ６４乃至ｂ６４のシーケンスのマッチドフィルタ出力の合計が、結合されたときに、理想的なディラック（Dirac）信号特性を提供することができる（すなわち、サイドローブが存在しない）ので、受信機でのチャネル追跡を改良することができる。
【００５６】
本開示の一態様において、プリアンブル内のＳＦＤシーケンスは、式（１）よりゴレイ符号ａ１２８によって拡散されたシードベクトル W = [−1 −1 −1 1 −1 1 −1 −1 −l] から生成されることができる。したがって、ＳＦＤシーケンス [−a128 −a128 −a128 a128 −a128 a128 −a128 −a128 −a128] が得られることができる。このＳＦＤシーケンスは、受信機で、コヒーレントにも差動的にも、検出されることができる。コヒーレントに検出されたＳＦＤ、および差動的に検出（ＤＤ：differentially detected）されたＳＦＤのためのマッチドフィルタ（ＭＦ）出力を、図９に示す。
【００５７】
本開示の一態様において、ヘッダーおよびデータペイロードは、レート−１／２の低密度パリティ検査（ＬＤＰＣ）符号を使用して符号化されることができる。本開示の他の態様は、いくつかの他の前方誤り訂正（ＦＥＣ：Forward Error Correction）符号に基づいた、ヘッダーおよびデータペイロードの符号化をサポートする。
【００５８】
プリアンブル内のチャネル推定シーケンス（ＣＥＳ）は、長さ２５６のサンプル、または長さ１２８のサンプルの、相補関係にあるゴレイ符号ペアを利用することもできる。遅延ベクトルD = [l28 64 32 8 2 16 1 4]、およびシードベクトルW = [l 1 1 1 1 −1 1 l]は、以下の、長さ２５６のサンプルの相補関係にあるゴレイ符号を生成するために用いられることができる：
【数５】
0005543466.tif 000006
【００５９】
および
【数６】
0005543466.tif 000007
【００６０】
式（５）−（６）によって与えられる、相補関係にあるゴレイ符号のペアは、プリアンブルシーケンスとの低レベルの相互相関と、低サイドローブレベルの１６のサンプルと、メインピークの各サイドのゼロ相関ゾーン（ＺＣＺ）の６４のサンプル、とを供給することができ、共通のマッチドフィルタが、ＣＥＳ、プリアンブル全体、およびデータペイロードを処理するように構成可能であるように、パラレルなゴレイマッチドフィルタによって、効率的に処理されることができる。
【００６１】
シングルキャリアフレーム構造
シングルキャリア（ＳＣ）フレーム構造は、図６および図７に示されたＣＭフレーム構造と同様であることができる。しかしながら、ＳＣプリアンブルは、ＣＭプリアンブルと比較して、より短くなり得る。ＳＣプリアンブルは、２つのプリアンブルモード、すなわち、ミディアムサイズのプリアンブルと、ショートサイズのプリアンブルとをサポートすることができる。ロング、ミディアム、およびショートプリアンブル間の違いは、ＳＦＤ長さ内の、ＳＹＮＣフィールド内の、式（１）によって与えられるゴレイシーケンスａ１２８の反復の数、ならびに、ＣＥＳフィールド内の、式（５）−（６）によるゴレイシーケンスａ２５６およびｂ２５６（または、その代わりに、式（１）−（２）による、ａ１２８およびｂ１２８シーケンス）の反復の数にあることができる。
【００６２】
ミディアムおよびハイデータレートを達成するために、バースト構造が、データ伝送に用いられ得る。図１０は、バースティＳＣフレーム構造の一例を示す。ＳＣフレーム（すなわち、データパケット）１００２は、まず、いくつかの前方誤り訂正（ＦＥＣ）符号を利用して、符号化されることができ、π／２−ＢＰＳＫまたはπ／２−ＱＰＳＫ変調のいずれかにマッピングされることができる。その後、変調されたデータパケット１００２は、図１０に示すように、複数のデータバースト１０１０に区分化されることができる。データバースト１０１０は、長さ６４のサンプル、または１６のサンプルの、既知のゴレイシーケンス１０１２（すなわち、パイロットワード（ＰＷ：Pilot Word））によって先行された、データ部分１０１４を含むことができる。バーストの長さは、両方のケースにおいて、２５６サンプルに固定されることができる。
【００６３】
長さ６４のＰＷは、厳しいマルチパス環境（すなわち、多数のチャネル経路を有する環境）のために使用されることができ、一方、長さ１６のＰＷは、数少ないチャネル経路を有する準見通し環境（quasi−line−of−sight environments）のために使用されることができる。シーケンス１０２０のヘッダー部は、すべてのタイプのシグナリングのための長さ６４サンプルのＰＷを用いることができる。一方、シーケンス１０２０のデータ部は、長さ６４または１６サンプルのＰＷを用いることができ、ＰＷの長さは、１ビットのＰＷ＿フラグを使用して、シーケンス１０２０のヘッダー部内でシグナリングされることができる。たとえば、ＰＷ＿フラグが０と等しい場合、ＰＷの長さは、６４サンプルであり、ＰＷ＿フラグが１と等しい場合、ＰＷの長さは１６サンプルである。
【００６４】
６４サンプルの長さのＰＷのために、データサンプルの拡散のために使用されるゴレイシーケンスａ６４およびｂ６４は、さらに、ＰＷとして直接的に使用されることもできる。一方、長さ１６のＰＷは、４サンプルのサイドローブレベル、および、４サンプルのＺＣＺを伴う、以下の相補関係にあるゴレイ符号のペア、すなわち、遅延ベクトルD = [4 8 2 1]、およびシードベクトルW = [1 −1 1 1]を使用して得られた、a16 = 2D11, b16 = 7844を用いることができる。本開示の一態様において、ゴレイタイプ（ａ）（すなわち、ゴレイ符号ａ６４またはａ１６）のパイロットワードのみが、使用されることができる。本開示の別の態様において、データペイロードは、サブブロックに区分化されることができる。偶数のサブブロックは、ゴレイタイプ（ａ）の符号を使用することができ、奇数のサブブロックは、ゴレイタイプ（ｂ）の符号を使用することができる。
【００６５】
本開示の一態様において、図１１に示されたもののように、ＰＷは、ゴレイ符号ｂおよび−ｂが奇数のデータサブブロックに使用され得る一方で、偶数のデータサブブロックについてはゴレイ符号ａおよび−ａを使用することにより、さらにランダム化されることができる。データパケット１００２は、データバースト１１１０および１１２０に区分化されることができる。図１１に示すように、バースト１１１０は、ゴレイタイプ（ａ）の符号１１１２によって先行されたデータ部１１１４を含むことができ、バースト１１２０は、ゴレイタイプ（ｂ）の符号１１２２によって先行されたデータ部１１２４を含むことができる。
【００６６】
図８に示されたものと同様のＬＦＳＲが、拡散シーケンスの選択のために用いられることができる。たとえば、第１のＬＦＳＲの出力が０である場合、ゴレイ符号ａが、サブブロック１１３２を生成するための拡散に使用されることができ、第１のＬＦＳＲの出力が１である場合、ゴレイ符号−ａが、サブブロック１１３２を生成するための拡散に使用されることができる。第２のＬＦＳＲの出力が０である場合、シーケンスｂが、サブブロック１１３４を生成するための拡散に使用されることができ、第２のＬＦＳＲの出力が１である場合、シーケンス−ｂが、サブブロック１１３４を生成するための拡散に使用されることができる、等である。この特定のランダム化は、伝送信号のスペクトルを白色化することができ、スペクトル線を除去することができる。さらに、ランダム化は、シーケンスａ６４およびｂ６４からのマッチドフィルタの出力の合計が、結合された場合に、理想的なディラックインパルス応答を供給することができるので、受信機でのタイミング、周波数、およびチャネル追跡を改良することもできる。
【００６７】
ＯＦＤＭフレーム構造
ＯＦＤＭプリアンブルは、同一のハードウェアリソースを再利用するために、ＳＣ伝送方式においてプリアンブルを生成するために利用された、同一のゴレイ遅延ベクトルD = [64 32 8 2 16 1 4]を用いることができる。本開示の一態様において、この特定の遅延ベクトルは、以下の、ＯＦＤＭ伝送方式のための長さ１２８のプリアンブルシーケンスを生成するために、シードベクトルW = [−1 −1 −1 1 −1 j 1]とともに用いられることができる：
【数７】
0005543466.tif 000008
【数８】
0005543466.tif 000009
【００６８】
ここで、シーケンスａ１２８は複素数のシーケンス（すなわち、ａ１２８＝ａＲ１２８＋ｊ・ａＩ１２８）であるため、ａＲ１２８は、ａ１２８シーケンスの実数部分であり、ａＩ１２８は、ａ１２８シーケンスの虚数部分である。本開示の一態様において、ＯＦＤＭ伝送方式は、２５９２ＭＨｚ（すなわち、ＳＣ伝送方式のサンプリングレートの１．５倍）のサンプリングレートを用いることができる。
【００６９】
式（７）−（８）によって与えられるＯＦＤＭゴレイシーケンスａ１２８は、以下のプロパティ、すなわち、容易なＤＣオフセット推定を可能にする実数部分および虚数部分の両方のゼロ平均値と、メインピークの各サイドの３２サンプルのゼロ相関ゾーン（ＺＣＺ）と、ＺＣＺの外側の１６サンプルの低サイドローブレベル、とを有するように生成されることができる。さらに、ＯＦＤＭゴレイシーケンスａ１２８は、受信機でのパラレルなゴレイマッチドフィルタリングの効率的な使用、ならびに、フィルタリング後の低い（すなわち、３ｄＢ未満の）ピークツーアベレージパワー比（peak−to−average power ratio）を可能にすることができる。
【００７０】
ＯＦＤＭプリアンブル内のチャネル推定シーケンス（ＣＥＳ）は、長さ５１２サンプルの互換性のある、相補関係にあるゴレイ符号を使用することができる。たとえば、遅延ベクトル D =[256 128 64 32 8 2 16 1 4]、およびシードベクトル W = [−1 −j −1 j j 1 1 −j j] が、以下の相補関係にある複素数のゴレイ符号を生成するために使用されることができる：
【数９】
0005543466.tif 000010
【数１０】
0005543466.tif 000011
【数１１】
0005543466.tif 000012
【数１２】
0005543466.tif 000013
【００７１】
式（９）−（１０）および（１１）−（１２）によって与えられる複素数のゴレイ符号は、以下の特性、すなわち、プリアンブルシーケンスとの低レベルの相互相関と、３６サンプルの低サイドローブレベルと、メインピークの各サイドの１２８サンプルのＺＣＺ、とを有することができ、かつ、受信機での効率的なパラレルのゴレイマッチドフィルタリングを可能にすることができ、単一のマッチドフィルタが、ＣＥＳ、およびプリアンブルの残りの部分を検出するために構成されることができる。さらに、式（９）−（１０）および式（１１）−（１２）によって与えられる両方の複素数のゴレイ符号は、プリアンブルとの互換性を有することができ、すなわち、プリアンブルの遅延ベクトルは、ＣＥＳの遅延ベクトルに含まれることができる。本開示の一態様において、単一の構成可能なパラレルマッチドフィルタは、ＳＣおよびＯＦＤＭ伝送方式の両方のためのプリアンブル内のすべてのシーケンスを検出するために使用されることができる。
【００７２】
ＯＦＤＭ伝送において、プリアンブルシーケンスは、２５６サンプルの長さを有することができ、長さ５１２サンプルのＣＥＳシーケンスの互換性のあるセットが使用されることもできる。以下の、長さ２５６サンプルの複素数のプリアンブルシーケンスは、遅延ベクトル D = [128 64 32 8 2 16 1 4]、およびシードベクトル W = [1 j 1 j −1 1 j j]を使用して生成されることができる：
【数１３】
0005543466.tif 000014
【数１４】
0005543466.tif 000015
【００７３】
一方、遅延ベクトルD = [256 128 64 32 8 2 16 1 4]、およびシードベクトル W = [1 −j 1 j j 1 1 −j j]を使用して生成された、長さ５１２の複素数のＣＥＳシーケンスの互換性のあるセットは、以下の通りであることができる：
【数１５】
0005543466.tif 000016
【数１６】
0005543466.tif 000017
【数１７】
0005543466.tif 000018
【数１８】
0005543466.tif 000019
【００７４】
統一されたフレーム構造
コモンモード（ＣＭ）伝送方式は、シングルキャリア（ＳＣ）モード、およびハイスピードインターフェース（ＨＳＩ：High Speed Interface）ＯＦＤＭモードといった、異なるモード間の共在を可能にする。しかしながら、無線システムは、搬送波感知多重アクセス／衝突回避方式（ＣＳＭＡ／ＣＡ：Carrier Sense Multiple Access with Collision Avoidance）モードにおいて動作するように、さらに構成される場合もあり、それは、クリアチャネルアセスメント（ＣＣＡ：Clear Channel Assessment）を使用する、電気電子技術者協会（ＩＥＥＥ：Institute of Electrical and Electronics Engineers）の８０２．１１プロトコルにおいて、用いられるモードである。サービス加入者のデバイスは、伝送媒体がビジーかどうかを、プリアンブルを検出することによって、および、フレームの持続時間をプリアンブルから決定することによって、決定することが可能であり得る。一旦、サービス加入者のデバイスが、フレームの長さを知ると、媒体が特定の期間使用中であることが、さらに知られ得ることになる。
【００７５】
ＩＥＥＥ８０２．１５．３仕様のスーパーフレームのコンテンションアクセス期間（ＣＡＰ：Contention Access Period）部における動作を促進するために、図１２に示す、統一されたフレームフォーマット１２１０が用いられることができ、ＩＥＥＥ８０２．１５．３のスーパーフレームは、少なくとも１つの統一されたフレーム１２１０を含むことができる。フレーム１２１０のプリアンブル１２１２は、ＳＣ方式を使用して伝送され得る一方、フレーム１２１０は、ＳＣフレームまたはＯＦＤＭフレームのいずれかであり得る。プリアンブル１２１２は、コモンモードのためのものと同一のシーケンスを使用することができるが、ＳＦＤフィールドを含む各フィールドにおけるシーケンスの反復の数は、異なり得る。プリアンブル１２１２は、ＳＣチップレート、たとえば、Ｆ＝１７２８ＭＨｚで、伝送されうる。
【００７６】
共通ショートヘッダー１２１４は、どのくらい長く伝送媒体がビジーであるかについて決定することを、サービス加入者のデバイスに可能にさせるために、用いられることができる。共通ショートヘッダー１２１４は、ＳＣチップレートで伝送されることができ、図１３に示す以下のフィールド、すなわち、フレーム長さフィールド１３０２と、変調および符号化方式（ＭＣＳ：Modulation and Coding Scheme）フィールド１３０４と、ＳＣまたはＯＦＤＭ伝送方式がフレーム１２１０の伝送のために用いられているかどうかを示すＳＣ／ＯＦＤＭビット１３０６と、予約された（ＲＥＳ：Reserved）フィールド１３０８と、巡回冗長検査（ＣＲＣ：Cyclic Redundancy Check）フィールド１３１０、とを含むことができる。フレーム長さフィールド１３０２内で特定されたフレームの長さは、オクテットで与えられうる。
【００７７】
ＭＣＳフィールド１３０４の値、およびフレームの長さについての情報は、フレーム持続時間を計算することを、サービス加入者のデバイスに可能にさせることができる。あるいは、共通ショートヘッダー１２１４は、たとえば、ミリセカンドといった、何らかの単位で、フレームの持続時間を含むこともできる。ＳＣ伝送モードは、さまざまなＭＣＳｓを用いることができる。どのＭＣＳが利用されているかによって、たとえば、３５０Ｍｂｐｓ、７００Ｍｂｐｓ、１．５Ｇｂｐｓ、および３Ｇｂｐｓといった異なるデータレートが達成されることができる。
【００７８】
共通ショートヘッダー１２１４は、低密度パリティ検査（ＬＤＰＣ）符号化といった、前方誤り訂正（ＦＥＣ）符号化にしたがって、２つのバーストにおいて伝送されることができる。短くされたＬＤＰＣ符号は、図１３に示すように、レート−１／２ＬＤＰＣ符号から生成されることができる。第１のステップは、４８ビットのショートヘッダー１２１４に２８８個のゼロを付け加えるために提供されることができる。第２のステップは、レート−１／２ＬＤＰＣ（６７２，３３６）符号を使用して、ショートヘッダー１２１４を符号化するために提供されることができる。２８８個のゼロをディスカード（discarding）した後に、結果として生じた符号は、ＬＤＰＣ（３８４，４８）符号に、短くされることができる。第３のステップは、第１のデータスロット（すなわち、ゴレイ符号ａ６４でありうるＰＷ１３１４、および共通ヘッダー部１３１２）における第１の１９２ビットを伝送するために、および、第２のデータスロット（すなわち、ゴレイ符号ａ６４でありうるＰＷ１３１８、および共通ヘッダー部１３１６）における残りの１９２ビットを伝送するために、提供されることができる。
【００７９】
図１２を再び参照し、共通ショートヘッダー１２１４に後続するショートガードインターバル１２１６は、ＳＣチップレートからＯＦＤＭチップレートへの（たとえば、Ｆ＝１７２８ＭＨｚから１．５Ｆ＝２５９２ＭＨｚへの）スイッチングを可能にすることができる。フレーム１２１０の残りの部分１２１８（すなわち、ヘッダーおよびデータ部）は、対応するチップレートを使用して、ＳＣモードまたはＯＦＤＭモードのいずれかで伝送されることができる。
【００８０】
上述された方法のさまざまな動作は、対応する機能を行うことができる任意の好適な手段によって行われることができる。手段は、回路、特定用途向け集積回路（ＡＳＩＣ）、またはプロセッサを含むが、これらに限定されない、さまざまなハードウェアおよび／またはソフトウェアの（単数または複数の）コンポーネントおよび／または（単数または複数の）モジュールを含むことができる。概して、図面に示された動作がある場合、それらの動作は、同様の参照番号を付した、対応するもう一方のミーンズプラスファンクションコンポーネントを有することができる。たとえば、図５に示したブロック５１０−５４０は、図５Ａに示した回路ブロック５１０Ａ−５４０Ａに対応する。
【００８１】
ここに使用される場合、「決定すること（determining）」という語は、広範なさまざまな作用を含む。たとえば、「決定すること」は、計算すること、演算すること、処理すること、導き出すこと、調査すること、検索すること（たとえば、表、データベース、または別のデータ構造を検索すること）、確定すること、等を含むことができる。また、「決定すること」は、受信すること（たとえば、情報を受信すること）、アクセスすること（たとえば、メモリにおけるデータにアクセスすること）、等を含むこともできる。さらに、「決定すること」は、解決すること、選択すること、選び出すこと、確立すること、等を含むこともできる。
【００８２】
上述された方法のさまざまな動作は、さまざまなハードウェアおよび／またはソフトウェアの（単数または複数の）コンポーネント、回路、および／または、（単数または複数の）モジュールといった、この動作を行うことのできる任意の好適な手段によって行われることもできる。概して、図面に示された任意の動作は、この動作を行うことができる対応する機能的な手段によって行われることもできる。
【００８３】
本開示に関連して説明された、さまざまな例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレー信号（ＦＰＧＡ）または他のプログラマブル論理デバイス（ＰＬＤ）、離散ゲートまたはトランジスタ論理、離散ハードウェアコンポーネント、または、ここに説明された機能を実行するように設計された、それらの任意の組み合わせによって、実現または実行されることができる。汎用プロセッサは、マイクロプロセッサでもよいが、あるいは、プロセッサは、任意の商業的に入手可能なプロセッサ、制御装置、マイクロ制御装置、またはステートマシンでもよい。プロセッサは、コンピュータデバイスの組み合わせ、たとえば、ＤＳＰと、１つのマイクロプロセッサ、複数のマイクロプロセッサ、ＤＳＰコアと結合された１つ以上のマイクロプロセッサとの組み合わせ、または任意の他のそのような構成としても実現されることができる。
【００８４】
本開示に関連して説明された方法またはアルゴリズムのステップは、ハードウェアで直接的に、プロセッサによって実行されるソフトウェアモジュールにおいて、または、その２つの組み合わせにおいて、具現化されることもできる。ソフトウェアモジュールは、当該技術で周知の任意の形態の記憶媒体の中に存在することもできる。使用され得る記憶媒体のいくつかの例は、ランダムアクセスメモリ（ＲＡＭ）、読み出し専用メモリ（ＲＯＭ）、フラッシュメモリ、ＥＰＲＯＭメモリ、ＥＥＰＲＯＭメモリ、レジスタ、ハードディスク、リムーバブルディスク、ＣＤ−ＲＯＭ、等を含む。ソフトウェアモジュールは、単一の命令、または多くの命令を含むことができ、いくつかの異なる符号セグメントによって、異なるプログラム間で、および複数の記憶媒体にわたって、分散されることもできる。記憶媒体は、プロセッサに結合されているので、プロセッサは、記憶媒体から情報を読み、記憶媒体に情報を書くことができる。あるいは、記憶媒体は、プロセッサに統合されてもよい。
【００８５】
ここに開示された方法は、説明された方法を達成するための１つ以上のステップまたは操作を含む。方法ステップおよび／または操作は、特許請求の範囲から逸脱することなく、相互の互換性を有することもできる。すなわち、ステップまたは操作の特定の順序が指定されていない限り、特定のステップおよび／または操作の順序および／または使用は、特許請求の範囲から逸脱することなく変更されることもできる。
【００８６】
説明された機能は、ハードウェア、ソフトウェア、ファームウェア、または、これらの任意の組合せにおいて実現されることもできる。ソフトウェアにおいて実現される場合、機能は、コンピュータ可読媒体における１つ以上の命令として記憶されることができる。記憶媒体は、コンピュータによるアクセスが可能な任意の入手可能な媒体であってもよい。限定ではなく例として、そのようなコンピュータ可読媒体は、ＲＡＭ、ＲＯＭ、ＥＥＰＲＯＭ、ＣＤ−ＲＯＭ、または、他の光ディスク記憶装置、磁気ディスク記憶装置または他の磁気記憶デバイス、または、コンピュータによるアクセスが可能であり、データ構造または命令の形態の所望のプログラムコードを記憶または搬送するために使用可能な任意の他の媒体を含むこともできる。ディスク（disk）およびディスク（disc）は、ここに使用されているように、コンパクトディスク（disc）（ＣＤ）、レーザー（登録商標）ディスク（disc）、光ディスク（disc）、デジタル多用途ディスク（disc）（ＤＶＤ）、フロッピー（登録商標）ディスク（disk）、およびブルーレイ（登録商標）ディスク（disc）を含み、ディスク（disks）は普通、データを磁気的に再生するが、ディスク（discs）は普通、レーザーで光学的にデータを再生する。
【００８７】
このように、特定の態様は、ここに提示された動作を行うためのコンピュータプログラム製品を含むこともできる。たとえば、そのようなコンピュータプログラム製品は、記憶（および／または符号化）された命令を有するコンピュータ可読媒体を含むこともでき、命令は、ここに説明された動作を行うために、１つ以上のプロセッサによって実行可能である。特定の態様のために、コンピュータプログラム製品は、パッケージ素材を含むこともできる。
【００８８】
ソフトウェアまたは命令は、伝送媒体によって伝送されることもできる。たとえば、ソフトウェアが、ウェブサイト、サーバー、または、同軸ケーブル、光ファイバケーブル、ツイストペア、デジタル加入者回線（ＤＳＬ）を使用する他のリモートソース、または、赤外線、無線、および、マイクロ波といった無線技術によって伝送される場合、同軸ケーブル、光ファイバケーブル、ツイストペア、ＤＳＬ、または、赤外線、無線、および、マイクロ波といった無線技術は、伝送媒体の定義に含まれる。
【００８９】
さらに、モジュールおよび／またはここに説明された方法および手法を行うための他の適切な手段は、適宜、ユーザー端末および／または基地局によって、ダウンロードおよび／またはそうでなければ入手されることができるということが理解されるべきである。たとえば、そのようなデバイスは、ここに説明された方法を行うための手段の移送を容易にするためにサーバーに結合されることができる。あるいは、ここに説明されたさまざまな方法は、記憶手段（たとえば、ＲＡＭ、ＲＯＭ、コンパクトディスク（ＣＤ）またはフロッピーディスクといった物理的な記憶媒体、等）を介して提供されることができるので、ユーザー端末および／または基地局は、デバイスに、記憶手段を結合または提供した上で、さまざまな方法を得ることができる。さらに、ここに説明された方法および手法を提供するための任意の他の好適な手法は、デバイスに利用可能である。
【００９０】
特許請求の範囲は、上記された、まさにその構成およびコンポーネントに限定されないということが理解される。さまざまな変更、変化、およびバリエーションが、特許請求の範囲から逸脱することなく、上記された方法および装置の配置、動作、および詳細において行われうる。
なお、以下に、出願当初の特許請求の範囲に記載された発明を付記する。
［Ｃ１］
プリアンブルおよびデータペイロードを生成することと、
前記プリアンブルおよび前記データペイロードを含むフレームを伝送することであって、前記プリアンブルは、第１のチップレートで、シングルキャリア（ＳＣ）伝送方式によって伝送され、前記データペイロードは、前記第１のチップレートとは異なる第２のチップレートで、直交周波数分割多重（ＯＦＤＭ）伝送方式によって伝送される、ことと
を含む、無線通信のための方法。
［Ｃ２］
前記第２のチップレートは、前記第１のチップレートよりも１．５倍高い、Ｃ１に記載の方法。
［Ｃ３］
前記プリアンブルまたは前記データペイロードは、１つ以上のゴレイ符号を使用することによって生成される、Ｃ１に記載の方法。
［Ｃ４］
前記プリアンブルは、同期（ＳＹＮＣ）シーケンス、開始フレームデリミタ（ＳＦＤ）、およびチャネル推定シーケンス（ＣＥＳ）を含み、前記ＳＹＮＣ、前記ＳＦＤ、および前記ＣＥＳは、ゴレイ符号を使用することによってすべて拡散される、Ｃ１に記載の方法。
［Ｃ５］
前記フレームを伝送することは、ピコネット制御装置によって定義されたスーパーフレームのコンテンションアクセス期間（ＣＡＰ）において伝送することを含む、Ｃ１に記載の方法。
［Ｃ６］
前記フレーム内のショートヘッダーを生成することと、
前記プリアンブルに続いて前記ショートヘッダーを伝送することであって、前記ショートヘッダーは、前記第１のチップレートで、前記ＳＣ伝送方式によって伝送される、ことと
をさらに含む、Ｃ５に記載の方法。
［Ｃ７］
前記ショートヘッダーは、前記フレームの持続時間を示す情報を含む、Ｃ６に記載の方法。
［Ｃ８］
前記ショートヘッダーは、低密度パリティ検査（ＬＤＰＣ）符号化を使用することによって生成される、Ｃ６に記載の方法。
［Ｃ９］
プリアンブルおよびデータペイロードを生成するように構成された生成器と、
前記プリアンブルおよび前記データペイロードを含むフレームを伝送するように構成された送信機であって、前記プリアンブルは、第１のチップレートで、シングルキャリア（ＳＣ）伝送方式によって伝送され、前記データペイロードは、前記第１のチップレートとは異なる第２のチップレートで、直交周波数分割多重（ＯＦＤＭ）伝送方式によって伝送される、送信機と
を含む、無線通信のための装置。
［Ｃ１０］
前記第２のチップレートは、前記第１のチップレートよりも１．５倍高い、Ｃ９に記載の装置。
［Ｃ１１］
前記プリアンブルまたは前記データペイロードは、１つ以上のゴレイ符号を使用することによって生成される、Ｃ９に記載の装置。
［Ｃ１２］
前記プリアンブルは、同期（ＳＹＮＣ）シーケンス、開始フレームデリミタ（ＳＦＤ）、およびチャネル推定シーケンス（ＣＥＳ）を含み、前記ＳＹＮＣ、前記ＳＦＤ、および前記ＣＥＳは、ゴレイ符号を使用することによってすべて拡散される、Ｃ９に記載の装置。
［Ｃ１３］
前記データフレームを伝送するように構成された前記送信機は、ピコネット制御装置（ＰＮＣ）によって定義されたスーパーフレームのコンテンションアクセス期間（ＣＡＰ）において伝送するように構成された回路を含み、前記装置と前記ＰＮＣは、同一のピコネットにおけるものである、Ｃ９に記載の装置。
［Ｃ１４］
前記フレーム内のショートヘッダーを生成するように構成された生成回路と、
前記プリアンブルに続いて前記ショートヘッダーを伝送するように構成された回路であって、前記ショートヘッダーは、前記第１のチップレートで、前記ＳＣ伝送方式によって伝送される、回路と
をさらに含む、Ｃ１３に記載の装置。
［Ｃ１５］
前記ショートヘッダーは、前記フレームの持続時間を示す情報を含む、Ｃ１４に記載の装置。
［Ｃ１６］
前記ショートヘッダーは、低密度パリティ検査（ＬＤＰＣ）符号化を使用することによって生成される、Ｃ１４に記載の装置。
［Ｃ１７］
プリアンブルおよびデータペイロードを生成するための手段と、
前記プリアンブルおよび前記データペイロードを含むフレームを伝送するための手段であって、前記プリアンブルは、第１のチップレートで、シングルキャリア（ＳＣ）伝送方式によって伝送され、前記データペイロードは、前記第１のチップレートとは異なる第２のチップレートで、直交周波数分割多重（ＯＦＤＭ）伝送方式によって伝送される、手段と
を含む、無線通信のための装置。
［Ｃ１８］
前記第２のチップレートは、前記第１のチップレートよりも１．５倍高い、Ｃ１７に記載の装置。
［Ｃ１９］
前記プリアンブルまたは前記データペイロードは、１つ以上のゴレイ符号を使用することによって生成される、Ｃ１７に記載の装置。
［Ｃ２０］
前記プリアンブルは、同期（ＳＹＮＣ）シーケンス、開始フレームデリミタ（ＳＦＤ）、およびチャネル推定シーケンス（ＣＥＳ）を含み、前記ＳＹＮＣ、前記ＳＦＤ、および前記ＣＥＳは、ゴレイ符号を使用することによってすべて拡散される、Ｃ１７に記載の装置。
［Ｃ２１］
前記フレームを伝送するための前記手段は、ピコネット制御装置（ＰＮＣ）によって定義されたスーパーフレームのコンテンションアクセス期間（ＣＡＰ）において伝送するための手段を含み、前記装置および前記ＰＮＣは同一のピコネットにおけるものである、Ｃ１７に記載の装置。
［Ｃ２２］
前記フレーム内のショートヘッダーを生成するための手段と、
前記プリアンブルに続いて前記ショートヘッダーを伝送するための手段であって、前記ショートヘッダーは、前記第１のチップレートで、前記ＳＣ伝送方式によって伝送される、手段と
をさらに含む、Ｃ２１に記載の装置。
［Ｃ２３］
前記ショートヘッダーは、前記フレームの持続時間を示す情報を含む、Ｃ２２に記載の装置。
［Ｃ２４］
前記ショートヘッダーは、低密度パリティ検査（ＬＤＰＣ）符号化を使用することによって生成される、Ｃ２２に記載の装置。
［Ｃ２５］
プリアンブルおよびデータペイロードを生成し、
前記プリアンブルおよび前記データペイロードを含むフレームを伝送し、前記プリアンブルは、第１のチップレートで、シングルキャリア（ＳＣ）伝送方式によって伝送され、前記データペイロードは、前記第１のチップレートとは異なる第２のチップレートで、直交周波数分割多重（ＯＦＤＭ）伝送方式によって伝送される
ために実行可能な命令を含むコンピュータ可読媒体を含む、無線通信のためのコンピュータプログラム製品。
［Ｃ２６］
少なくとも１つのアンテナと、
プリアンブルおよびデータペイロードを生成するように構成された生成器と、
前記プリアンブルおよび前記データペイロードを含むフレームを、前記少なくとも１つのアンテナを介して、伝送するように構成された送信機であって、前記プリアンブルは、第１のチップレートで、シングルキャリア（ＳＣ）伝送方式によって伝送され、前記データペイロードは、前記第１のチップレートとは異なる第２のチップレートで、直交周波数分割多重（ＯＦＤＭ）伝送方式によって伝送される、送信機と
を含む、無線ノード。
［Ｃ２７］
プリアンブルおよびデータペイロードを含むフレームを受信することであって、前記プリアンブルは、第１のチップレートで、シングルキャリア（ＳＣ）伝送方式によって、無線チャネルを介して伝送され、前記データペイロードは、前記第１のチップレートとは異なる第２のチップレートで、直交周波数分割多重（ＯＦＤＭ）伝送方式によって伝送された、ことと、
前記プリアンブルおよび前記データペイロードを検出することと
を含む、無線通信のための方法。
［Ｃ２８］
前記プリアンブルおよび前記データペイロードを検出することは、共通する構成可能なパラレルマッチドフィルタを使用して前記フレームをフィルタリングすることを含む、Ｃ２７に記載の方法。
［Ｃ２９］
前記プリアンブルの、同期（ＳＹＮＣ）シーケンス、開始フレームデリミタ（ＳＦＤ）、およびチャネル推定シーケンス（ＣＥＳ）は、前記共通する構成可能なパラレルマッチドフィルタを使用してすべて検出される、Ｃ２８に記載の方法。
［Ｃ３０］
前記第２のチップレートは、前記第１のチップレートよりも１．５倍高い、Ｃ２７に記載の方法。
［Ｃ３１］
前記プリアンブルはゴレイ符号を含む、Ｃ２７に記載の方法。
［Ｃ３２］
プリアンブルおよびデータペイロードを含むフレームを受信するように構成された受信機であって、前記プリアンブルは、第１のチップレートで、シングルキャリア（ＳＣ）伝送方式によって、無線チャネルを介して伝送され、前記データペイロードは、前記第１のチップレートとは異なる第２のチップレートで、直交周波数分割多重（ＯＦＤＭ）伝送方式によって伝送された、受信機と、
前記プリアンブルおよび前記データペイロードを検出するように構成された検出器とを含む、無線通信のための装置。
［Ｃ３３］
前記プリアンブルおよび前記データペイロードを検出するように構成された検出器は、共通する構成可能なパラレルマッチドフィルタを使用して、前記フレームをフィルタリングするように構成された回路を含む、Ｃ３２に記載の装置。
［Ｃ３４］
前記プリアンブルの、同期（ＳＹＮＣ）シーケンス、開始フレームデリミタ（ＳＦＤ）、およびチャネル推定シーケンス（ＣＥＳ）は、前記共通する構成可能なパラレルマッチドフィルタを使用してすべて検出される、Ｃ３３に記載の装置。
［Ｃ３５］
前記第２のチップレートは、前記第１のチップレートよりも１．５倍高い、Ｃ３２に記載の装置。
［Ｃ３６］
前記プリアンブルはゴレイ符号を含む、Ｃ３２に記載の装置。
［Ｃ３７］
プリアンブルおよびデータペイロードを含むフレームを受信するための手段であって、前記プリアンブルは、第１のチップレートで、シングルキャリア（ＳＣ）伝送方式によって、無線チャネルを介して伝送され、前記データペイロードは、前記第１のチップレートとは異なる第２のチップレートで、直交周波数分割多重（ＯＦＤＭ）伝送方式によって伝送された、手段と、
前記プリアンブルおよび前記データペイロードを検出するための手段と
を含む、無線通信のための装置。
［Ｃ３８］
前記プリアンブルおよび前記データペイロードを検出するための手段は、共通する構成可能なパラレルマッチドフィルタを使用して、前記フレームをフィルタリングするための手段を含む、Ｃ３７に記載の装置。
［Ｃ３９］
前記プリアンブルの、同期（ＳＹＮＣ）シーケンス、開始フレームデリミタ（ＳＦＤ）、およびチャネル推定シーケンス（ＣＥＳ）は、前記共通する構成可能なパラレルマッチドフィルタを使用してすべて検出される、Ｃ３８に記載の装置。
［Ｃ４０］
前記第２のチップレートは、前記第１のチップレートよりも１．５倍高い、Ｃ３７に記載の装置。
［Ｃ４１］
前記プリアンブルはゴレイ符号を含む、Ｃ３７に記載の装置。
［Ｃ４２］
プリアンブルおよびデータペイロードを含むフレームを受信し、前記プリアンブルは、第１のチップレートで、シングルキャリア（ＳＣ）伝送方式によって、無線チャネルを介して伝送され、前記データペイロードは、前記第１のチップレートとは異なる第２のチップレートで、直交周波数分割多重（ＯＦＤＭ）伝送方式によって伝送され、
前記プリアンブルおよび前記データペイロードを検出する
ために実行可能な命令を含むコンピュータ可読媒体を含む、無線通信のためのコンピュータプログラム製品。
［Ｃ４３］
少なくとも１つのアンテナと、
プリアンブルおよびデータペイロードを含むフレームを、前記少なくとも１つのアンテナを介して、受信するように構成された受信機であって、前記プリアンブルは、第１のチップレートで、シングルキャリア（ＳＣ）伝送方式によって、無線チャネルを介して伝送され、前記データペイロードは、前記第１のチップレートとは異なる第２のチップレートで、直交周波数分割多重（ＯＦＤＭ）伝送方式によって伝送された、受信機と
前記プリアンブルおよび前記データペイロードを検出するように構成された検出器とを含む、無線ノード。
【図１】
0005543466.tif 000020
【図２】
0005543466.tif 000021
【図３】
0005543466.tif 000022
【図４】
0005543466.tif 000023
【図５】
0005543466.tif 000024
【図５Ａ】
0005543466.tif 000025
【図６】
0005543466.tif 000026
【図７】
0005543466.tif 000027
【図８】
0005543466.tif 000028
【図９】
0005543466.tif 000029
【図１０】
0005543466.tif 000030
【図１１】
0005543466.tif 000031
【図１２】
0005543466.tif 000032
【図１３】
0005543466.tif 000033